(57)【要約】【課題】透光カバーを構成する複数のパーツ間に隙間が生じることを抑えることができる光源ユニット及び照明器具を提案する。【解決手段】光源ユニット８は、長尺であるＬＥＤ基板を覆うようにベース部材に装着される長尺の透光カバー３を備える。透光カバー３は、それぞれが長尺でありかつ透光性を有する複数の分割カバー４と、複数の分割カバー４のうち隣り合う二つの分割カバー４を弾性的に連結させる連結部材５を含む。隣り合う二つの分割カバー４は、連結部材５を介して一直線状に並ぶ。【選択図】図３
2020140905.tif 000002
【特許請求の範囲】
【請求項１】
長尺であるＬＥＤ基板と、
前記ＬＥＤ基板が取り付けられるベース部材と、
前記ＬＥＤ基板を覆うように前記ベース部材に装着される長尺の透光カバーと、を備え、
前記透光カバーは、それぞれが長尺でありかつ透光性を有する複数の分割カバーと、前記複数の分割カバーのうち隣り合う二つの分割カバーを弾性的に連結させる連結部材と、を含み、
前記隣り合う二つの分割カバーは、前記連結部材を介して一直線状に並ぶ
光源ユニット。
【請求項２】
前記連結部材は、前記隣り合う二つの分割カバーに跨って貼り付けられたシート部材である
請求項１の光源ユニット。
【請求項３】
前記連結部材は、前記隣り合う二つの分割カバーの互いの端面の間に充填されたコーキング材である
請求項１の光源ユニット。
【請求項４】
前記連結部材は、前記隣り合う二つの分割カバーの互いの端部に嵌め込まれる弾性部材である
請求項１の光源ユニット。
【請求項５】
請求項１から４のいずれか一項の光源ユニットと、
前記光源ユニットを支持する器具本体を備える
照明器具。
【請求項６】
前記連結部材は、前記隣り合う二つの分割カバーの境界の少なくとも主要部分を塞ぐように構成されており、
前記主要部分は、
前記光源ユニットが前記器具本体に支持された状態において、前記ベース部材と前記透光カバーで囲まれる内部空間と、前記透光カバーを通じて光が照射される外部空間との間に位置する部分である
請求項５の照明器具。
【発明の詳細な説明】
【技術分野】
【０００１】
本発明は、光源ユニット及び照明器具に関する。
【背景技術】
【０００２】
ＬＥＤを用いた長尺の照明器具が、従来知られている。この種の照明器具は、ＬＥＤ基板とこれを覆う透光カバーを備えた長尺の光源ユニットと、光源ユニットを支持する器具本体とを具備する。
【０００３】
特許文献１には、光源ユニットが備える透光カバーを、同一仕様の複数パーツを並べて構成することが記載されている。この透光カバーによれば、透光カバーの一部が破損したときに、その破損個所を含んだパーツだけを交換すればく、メンテナンスの負荷が低減される。
【先行技術文献】
【特許文献】
【０００４】
【特許文献１】特開２０１０−２４４８７２号公報
【発明の概要】
【発明が解決しようとする課題】
【０００５】
上記した従来の技術では、光源ユニットの温度変化に基づく膨張収縮や、光源ユニットの経年変化によって、透光カバーを構成する複数のパーツ間に隙間が生じるおそれがある。このような隙間が生じると、見栄えの低下を招くばかりか、光源ユニットの内側に埃や虫が侵入する原因ともなる。
【０００６】
本発明は、透光カバーを構成する複数のパーツ間に隙間が生じることを抑えることができる光源ユニット及び照明器具を提案することを、目的とする。
【課題を解決するための手段】
【０００７】
本発明の一態様に係る光源ユニットは、長尺であるＬＥＤ基板と、前記ＬＥＤ基板が取り付けられるベース部材と、前記ＬＥＤ基板を覆うように前記ベース部材に装着される長尺の透光カバーと、を備える。前記透光カバーは、それぞれが長尺でありかつ透光性を有する複数の分割カバーと、前記複数の分割カバーのうち隣り合う二つの分割カバーを弾性的に連結させる連結部材と、を含む。前記隣り合う二つの分割カバーは、前記連結部材を介して一直線状に並ぶ。
【０００８】
本発明の一態様に係る照明器具は、前記光源ユニットと、前記光源ユニットを支持する器具本体を備える。
【発明の効果】
【０００９】
本発明は、透光カバーを構成する複数のパーツ間に隙間が生じることを抑えることができる光源ユニット及び照明器具を提案することができるという効果を奏する。
【図面の簡単な説明】
【００１０】
【図１】図１は、実施形態１の照明器具の斜視図である。
【図２】図２は、同上の照明器具の分解斜視図である。
【図３】図３は、図２のＰ部拡大図である。
【図４】図４は、図３に示す部分を更に分解した斜視図である。
【図５】図５は、同上の照明器具の断面図である。
【図６】図６は、同上の照明器具を階段に設置した例を示す模式図である。
【図７】図７は、同上の照明器具の変形例を階段に設置した例を示す模式図である。
【図８】図８Ａは、実施形態２の照明器具の要部正面図であり、図８Ｂは、図８ＡのＩ−Ｉ線断面図である。
【図９】図９Ａは、実施形態３の照明器具の要部正面図であり、図９Ｂは、図９ＡのＩＩ−ＩＩ線断面図である。
【発明を実施するための形態】
【００１１】
（実施形態１）
図１、図２に示すように、実施形態１の照明器具９は、天井直付け型の照明器具であって、図示略の吊ボルトを用いて天井に取り付けられる平面視矩形状の器具本体８５と、器具本体８５に着脱自在に取り付けられる光源ユニット８を備える。
【００１２】
器具本体８５の天井とは反対側（下側）を向く面には、光源ユニット８を収容するための矩形状の凹部８５２が、器具本体８５の全長に亘って設けられている。器具本体８５の短手方向において凹部８５２の両側には、凹部８５２の開口縁から延出した傾斜面８５４が設けられている。傾斜面８５４は、凹部８５２の開口縁から外側に離れた箇所ほど、天井に近づくように傾斜している。器具本体８５の長手方向の両端部には、エンドキャップ８５６が取り付けられている。
【００１３】
光源ユニット８は、一直線状の外形を有する長尺のベース部材２と、長尺のＬＥＤ基板１を備える。ＬＥＤ基板１は、その長手方向において複数（実施形態１では二つ）に分割されている。以下においては、ＬＥＤ基板１のうち分割された一方を第一ＬＥＤ基板１１と称し、他方を第二ＬＥＤ基板１２と称する。
【００１４】
第一ＬＥＤ基板１１と第二ＬＥＤ基板１２がともにベース部材２の取付面２０に取り付けられた状態で、第一ＬＥＤ基板１１と第二ＬＥＤ基板１２は互いに電気接続される。
【００１５】
更に、実施形態１の光源ユニット８は、第一ＬＥＤ基板１１と第二ＬＥＤ基板１２を覆うようにベース部材２に装着される長尺の透光カバー３と、第一ＬＥＤ基板１１と第二ＬＥＤ基板１２に点灯電力を供給する電源装置６を備える。
【００１６】
以下においては、実施形態１の光源ユニット８が備える各構成について、更に詳しく説明する。
【００１７】
まず、ベース部材２について説明する。ベース部材２は、板金に曲げ加工を施すことで、全体が断面Ｕ字状に形成されている（図２参照）。ベース部材２は、細長い矩形板状の底板部２６と、底板部２６の短手方向の両端から延出する一対の側板部２８を備える。底板部２６の正面に、第一ＬＥＤ基板１１と第二ＬＥＤ基板１２を取り付ける長尺の取付面２０が形成されている。
【００１８】
次に、ＬＥＤ基板１を構成する第一ＬＥＤ基板１１と第二ＬＥＤ基板について説明する。第一ＬＥＤ基板１１と第二ＬＥＤ基板１２はともに、長手方向、短手方向及び厚さ方向を有する細長い矩形板状のプリントＬＥＤ基板である。
【００１９】
第一ＬＥＤ基板１１の厚さ方向の一面には、複数の発光ダイオード１１８が、第一ＬＥＤ基板１１の長手方向に沿って一列に実装されている。発光ダイオード１１８の配列は一列に限定されず、例えば複数列に配列されてもよいし、千鳥状に配列されてもよい。第一ＬＥＤ基板１１の長手方向の端部には、一対のコネクタ１１５が設けられている。
【００２０】
同様に、第二ＬＥＤ基板１２の厚さ方向の一面には、複数の発光ダイオード１２８が、第二ＬＥＤ基板１２の長手方向に沿って一列に実装されている。発光ダイオード１２８の配列は一列に限定されず、例えば複数列に配列されてもよいし、千鳥状に配列されてもよい。第二ＬＥＤ基板１２の長手方向の端部には、一対のコネクタ１１５に対して一対一で電気接続するように一対のコネクタ１２５が設けられている。
【００２１】
各発光ダイオード１１８，１２８は電圧印可により発光する性質を有していればよく、その材質と発光色は特に限定されない。各発光ダイオード１１８，１２８が、有機エレクトロルミネッセンス素子であってもよい。
【００２２】
次に、電源装置６について説明する。電源装置６は、ベース部材２を挟んで第一ＬＥＤ基板１１の反対側に配置される。電源装置６は、ベース部材２を貫通する一対の導電性のピン６４を介して、第一ＬＥＤ基板１１に電気接続される。
【００２３】
次に、透光カバー３について説明する。
【００２４】
半円筒状である透光カバー３は、複数の分割カバー４を備える。複数の分割カバー４は、いずれも半円筒状の断面形状を有する押出成形品である。
【００２５】
実施形態１において、複数の分割カバー４は、隣り合う二つの分割カバー４１，４２である。以下において、二つの分割カバー４１，４２のうち符号４１が付されたものを第一分割カバーと称し、符号４２が付されたものを第二分割カバーと称する。
【００２６】
第一分割カバー４１と第二分割カバー４２は、互いに同一の断面形状を有する。第一分割カバー４１と第二分割カバー４２は、透光カバー３をその長手方向の中央部分で半割したような形状を有する。第一分割カバー４１と第二分割カバー４２は、それぞれ拡散性を有する樹脂材質（例えば乳白色のアクリル樹脂）で形成されている。
【００２７】
なお、第一分割カバー４１と第二分割カバー４２の互いの断面形状が厳密に一致する必要はなく、互いに相違してもよい。また、第一分割カバー４１と第二分割カバー４２の互いの材質が相違してもよく、互いの色が相違してもよく、互いの表面処理が相違してもよい。第一分割カバー４１と第二分割カバー４２の互いの表面処理が相違することは、第一分割カバー４１と第二分割カバー４２の互いの表面形状が相違することを含む。
【００２８】
第一分割カバー４１と第二分割カバー４２の互いの材質、色、表面処理の少なくとも一つが相違すると、第一分割カバー４１と第二分割カバー４２とで光の透過性、拡散性等が互いに相違することになる。その結果、透光カバー３の全体において、配光特性に変化を持たせることができる。なお、透光カバー３において長手方向の領域ごとに配向特性に変化を持たせる手段として、透光カバー３を二色成形品とすることも考えられるが、このような手段を用いた場合には製造コストが高くなるという問題がある。
【００２９】
第一分割カバー４１と第二分割カバー４２は、弾性を有する連結部材５を介して、一直線状に連結されている。連結部材５は、第一分割カバー４１の長手方向の端縁部と、第二分割カバー４２の端縁部の間に跨って貼り付けられた可撓性のシート部材５１である。
【００３０】
シート部材５１は、その厚さ方向の一側に接着面５１０を有する。接着面５１０の半部が第一分割カバー４１の長手方向の端縁部に接着し、接着面５１０の残り半部が第二分割カバー４２の長手方向の端縁部に接着する。
【００３１】
シート部材５１は、透過性を有することが好ましいが、透過性を有さないものを用いてもよい。シート部材５１の材質は樹脂であることが好ましいが、これ以外の材質でもよい。シート部材５１の熱膨張率は、第一分割カバー４１及び第二分割カバー４２の少なくとも一方の熱膨張率に近いことが好ましいが、これに限定されない。
【００３２】
実施形態１の光源ユニット８によれば、第一分割カバー４１と第二分割カバー４２の間に隙間を生じることが防止され、光源ユニット８の内側に埃や虫が侵入することが効果的に抑制される。
【００３３】
図５には、第一分割カバー４１と第二分割カバー４２の境界に沿って切断した断面を示している。図示のように、シート部材５１は、第一分割カバー４１と第二分割カバー４２の境界の全部を塞ぐように貼着させなくてもよい。この例において、シート部材５１は、第一分割カバー４１と第二分割カバー４２の境界のうち、以下に述べる主要部分を塞ぐように構成されている。
【００３４】
ここでの境界の主要部分は、光源ユニット８が器具本体８５に支持された状態で、光源ユニット８の内部空間Ｓ１と外部空間Ｓ２の間に位置する部分である。内部空間Ｓ１は、ベース部材２と透光カバー３で囲まれた空間であり、言い換えれば、ＬＥＤ基板１が収容される空間である。外部空間Ｓ２は、透光カバー３を通じて光が照射される空間である。
【００３５】
第一分割カバー４１と第二分割カバー４２の境界の主要部分がシート部材５１で塞がれるので、光源ユニット８の内側に埃や虫が侵入することがより効果的に抑制され、見栄えの低下も効果的に抑えられる。しかも、シート部材５１は弾性を有するので、第一分割カバー４１と第二分割カバー４２が膨張収縮を生じてもこれに追従して弾性変形し、第一分割カバー４１と第二分割カバー４２の境界を塞ぐことができる。
【００３６】
図６には、実施形態１の光源ユニット８を備えた照明器具９を、階段７の照明に用いた場合を模式的に示している。階段７は、その途中に複数の踊り場７５を備えている。照明器具９は、隣接する踊り場７５の間の箇所に、一直線状に並ぶように二つずつ配置されている。
【００３７】
この配置例では、二つ並んだ照明器具９のそれぞれにおいて、第一分割カバー４１と第二分割カバー４２のうち踊り場７５に近い側のものを、残りのものよりも透光性が高くなるように構成している。これにより、階段７の全体において踊り場７５及びその周辺を比較的明るく照らし、階段７の残りの部分では明かりを抑えて、踊り場７５の存在を認識しやすくすることができる。
【００３８】
図７には、実施形態１の照明器具９の変形例を、階段７の照明に用いた場合を模式的に示している。実施形態１の照明器具９の変形例において、光源ユニット８が備える透光カバー３は、その長手方向において三つに分割されている。言い換えれば、透光カバー３は、一直線状に連結された三つの分割カバー４を備えている。
【００３９】
この照明器具９は、隣接する踊り場７５の間の箇所に一つずつ配置されている。一直線状に連結された三つの分割カバー４のうち両端のものは、中央のものよりも透光性が高くなるように構成されている。変形例においても、階段７の全体において踊り場７５及びその周辺を比較的明るく照らし、階段７の残りの部分では明かりを抑えて、踊り場７５の存在を認識しやすくすることができる。
【００４０】
（実施形態２）
実施形態２の光源ユニット８について、図８Ａ及び図８Ｂに基づいて説明する。実施形態２の光源ユニット８の構成のうち、実施形態１において説明した構成と同様の構成については、同一符号を付して詳しい説明を省略する。
【００４１】
図８Ａには、実施形態２の光源ユニット８が備える透光カバー３の要部を示している。この透光カバー３は、実施形態１と同様に、隣り合う第一分割カバー４１及び第二分割カバー４２と、第一分割カバー４１と第二分割カバー４２の互いの端縁部を弾性的に連結させる連結部材５を備える。連結部材５は、第一分割カバー４１と第二分割カバー４２の互いの端面の間に充填されたコーキング材５３である。コーキング材５３は、例えばシリコン樹脂等の粘着材であることが好ましい。
【００４２】
実施形態２の光源ユニット８おいては、コーキング材５３によって、第一分割カバー４１と第二分割カバー４２の間に隙間を生じることが防止され、見栄えの低下が抑えられる。加えて、光源ユニット８の内側に埃や虫が侵入することが、効果的に抑制される。しかも、コーキング材５３は柔軟性と弾性を有するので、第一分割カバー４１と第二分割カバー４２が膨張収縮を生じてもこれに追従して柔軟に弾性変形し、第一分割カバー４１と第二分割カバー４２の境界を塞ぐことができる。
【００４３】
（実施形態３）
実施形態３の光源ユニット８について、図９Ａ及び図９Ｂに基づいて説明する。実施形態２の光源ユニット８の構成のうち、実施形態１において説明した構成と同様の構成については、同一符号を付して詳しい説明を省略する。
【００４４】
図９Ａには、実施形態３の光源ユニット８が備える透光カバー３の要部を示している。この透光カバー３は、実施形態１と同様に、隣り合う第一分割カバー４１及び第二分割カバー４２と、第一分割カバー４１と第二分割カバー４２の互いの端縁部を弾性的に連結させる連結部材５を備える。連結部材５は、第一分割カバー４１と第二分割カバー４２の互いの端部に嵌め込まれる弾性部材５５である。弾性部材５５は、例えばゴム製の部材であることが好ましい。
【００４５】
弾性部材５５は、第一分割カバー４１の端部が着脱自在に嵌め込まれる第一溝部５５１と、第二分割カバー４２の端部が着脱自在に嵌め込まれる第二溝部５５２を有する。第一溝部５５１と第二溝部５５２は、互いに反対側に向けて開口する。
【００４６】
実施形態３の光源ユニット８おいては、弾性部材５５によって、第一分割カバー４１と第二分割カバー４２の間に隙間を生じることが防止され、見栄えの低下が抑えられる。加えて、光源ユニット８の内側に埃や虫が侵入することが、効果的に抑制される。第一分割カバー４１と第二分割カバー４２が膨張収縮を生じても、弾性部材５３はこれに追従して弾性変形し、第一分割カバー４１と第二分割カバー４２の境界を塞ぐことができる。
【００４７】
なお、上記した実施形態１−３はそれぞれ一例に過ぎず、実施形態１−３の構成を更に変更することも可能であるし、実施形態１−３の構成を適宜に組み合わせることも可能である。
【００４８】
例えば、実施形態１−３において、照明器具９は天井直付け型の照明器具であるが、これに限定されず、他のタイプの照明器具であってもよい。また、実施形態１−３においては、ＬＥＤ基板１を第一ＬＥＤ１１と第二ＬＥＤ基板１２で構成しているが、一つのＬＥＤ基板で構成してもよいし、三つ以上のＬＥＤ基板で構成してもよい。
【００４９】
（態様）
第１の態様の光源ユニット（８）は、長尺であるＬＥＤ基板（１）と、ＬＥＤ基板（１）が取り付けられるベース部材（２）と、ＬＥＤ基板（１）を覆うようにベース部材（２）に装着される長尺の透光カバー（３）を備える。透光カバー（３）は、それぞれが長尺でありかつ透光性を有する複数の分割カバー（４）と、複数の分割カバー（４）のうち隣り合う二つの分割カバー（４）を弾性的に連結させる連結部材（５）を含む。隣り合う二つの分割カバー（４）は、連結部材（５）を介して一直線状に並ぶ。
【００５０】
第１の態様の光源ユニット（８）によれば、透光カバー（３）を複数の分割カバー（４）で構成し、隣り合う分割カバー（４）間に隙間が生じることを、連結部材（５）によって抑えることができる。そのため、光源ユニット（８）の見栄えが低下することや、光源ユニット（８）の内側に埃や虫が侵入することが効果的に抑制される。加えて、連結部材（５）は隣り合う分割カバー（４）を弾性的に連結させるので、複数の分割カバー（４）が温度変化等に起因した膨張収縮を生じても、連結部材（５）はこれに追従して弾性変形し、隣り合う分割カバー（４）間の隙間を安定的に塞ぐことができる。
【００５１】
第２の態様の光源ユニット（８）は、第１の態様において下記の構成を更に備える。第２の態様の光源ユニット（８）では、連結部材（５）は、隣り合う二つの分割カバー（４）に跨って貼り付けられたシート部材（５１）である。
【００５２】
第２の態様の光源ユニット（８）によれば、隣り合う二つの分割カバー（４）に沿ってシート部材（５１）を密着性よく貼り付けることができる。そのため、光源ユニット（８）の見栄えが低下することや、光源ユニット（８）の内側に埃や虫が侵入することが効果的に抑制される。
【００５３】
第３の態様の光源ユニット（８）は、第１の態様において下記の構成を更に備える。第３の態様の光源ユニット（８）では、連結部材（５）は、隣り合う二つの分割カバー（４）の互いの端面の間に充填されたコーキング材（５３）である。
【００５４】
第３の態様の光源ユニット（８）によれば、隣り合う二つの分割カバー（４）の間に充填したコーキング材（５３）によって、二つの分割カバー（４）の間の隙間を、高い信頼性で塞ぐことができ、仕上がりの外観も良好となる。そのため、光源ユニット（８）の見栄えが低下することや、光源ユニット（８）の内側に埃や虫が侵入することが効果的に抑制される。
【００５５】
第４の態様の光源ユニット（８）は、第１の態様において下記の構成を更に備える。第４の態様の光源ユニット（８）では、連結部材（５）は、隣り合う二つの分割カバー（４）の互いの端部に嵌め込まれる弾性部材（５５）である。
【００５６】
第４の態様の光源ユニット（８）によれば、隣り合う二つの分割カバー（４）を、弾性部材（５５）を介して容易に連結させることができる。弾性部材（５５）は、弾性機能を有する部材であることから、分割カバー（４）に対して容易に着脱することができる。
【００５７】
第１の態様の照明器具（９）は、第１から第４のいずれか一つの態様の光源ユニット（８）と、光源ユニット（８）を支持する器具本体（８５）を備える。
【００５８】
第１の態様の照明器具（９）によれば、照明器具（９）が備える光源ユニット（８）の見栄えが低下することや、光源ユニット（８）の内側に埃や虫が侵入することが効果的に抑制される。加えて、連結部材（５）は隣り合う分割カバー（４）を弾性的に連結させるので、複数の分割カバー（４）が温度変化等で膨張収縮を生じても、弾性部材（５５）はこれに追従して弾性変形し、隣り合う分割カバー（４）間の隙間を安定的に塞ぐことができる。
【００５９】
第２の態様の照明器具（９）は、第１の態様の照明器具（９）において下記の構成を更に備える。第２の態様の照明器具（９）では、連結部材（５）は、隣り合う二つの分割カバー（４）の境界の少なくとも主要部分を塞ぐように構成されている。ここでの主要部分は、光源ユニット（８）が器具本体（８５）に支持された状態において、ベース部材（２）と透光カバー（３）で囲まれる内部空間（Ｓ１）と、透光カバー（３）を通じて光が照射される外部空間（Ｓ２）との間に位置する部分である。
【００６０】
第２の態様の照明器具（９）によれば、照明器具（９）の見栄えが低下することや、照明器具（９）が備える光源ユニット（８）の内側に埃や虫が侵入することが、より効果的に抑制される。
【符号の説明】
【００６１】
１  ＬＥＤ基板
２  ベース部材
３  透光カバー
４  分割カバー
５  連結部材
５１  シート部材
５３  コーキング材
５５  弾性部材
８  光源ユニット
８５  器具本体
９  照明器具
【図１】
2020140905.tif 000003
【図２】
2020140905.tif 000004
【図３】
2020140905.tif 000005
【図４】
2020140905.tif 000006
【図５】
2020140905.tif 000007
【図６】
2020140905.tif 000008
【図７】
2020140905.tif 000009
【図８】
2020140905.tif 000010
【図９】
2020140905.tif 000011